(57)【要約】【課題】電源電圧が低電圧化した場合であっても処理装置の動作を安定させることができるリセット信号発生回路を提供すること。【解決手段】電源システムは、入力電圧がリセット解除電圧以下のときにマイクロプロセッサ１００に向けてリセット信号を出力し、リセット解除電圧を超えたときにリセット信号の出力を解除するとともに、入力電圧がリセット解除電圧を超えた後に、リセット解除電圧よりも低いリセット検出電圧以下に入力電圧がなったときに再びリセット信号をマイクロプロセッサ１００に向けて出力する電圧検出ＩＣ３００と、マイクロプロセッサ１００の動作開始前は、電源電圧の変化に連動する第１の電圧を上記入力電圧として設定し、マイクロプロセッサ１００の動作開始後は、電源電圧の変化に連動するとともに第１の電圧よりも低い第２の電圧を上記入力電圧として設定する電圧変換回路１００とを備えている。【選択図】図１
2017143448.tif 000002
【特許請求の範囲】
【請求項１】
入力電圧がリセット解除電圧以下のときに処理装置に向けてリセット信号を出力し、前記リセット解除電圧を超えたときに前記リセット信号の出力を解除するとともに、前記入力電圧が前記リセット解除電圧を超えた後に、前記リセット解除電圧よりも低いリセット検出電圧以下に前記入力電圧がなったときに再び前記リセット信号を前記処理装置に向けて出力するリセット信号発生手段と、
前記処理装置の動作開始前は、電源電圧の変化に連動する第１の電圧を前記入力電圧として設定し、前記処理装置の動作開始後は、前記電源電圧の変化に連動するとともに前記第１の電圧よりも低い第２の電圧を前記入力電圧として設定する電圧変換手段と、
を備えることを特徴とするリセット信号発生回路。
【請求項２】
請求項１において、
前記処理装置の動作開始前であって、前記第１の電圧が前記リセット解除電圧に一致したときに、この第１の電圧に対応する前記電源電圧は、前記処理装置の動作保証電圧よりも高いことを特徴とするリセット信号発生回路。
【請求項３】
請求項１または２において、
前記処理装置の動作開始後であって、前記第２の電圧が前記リセット検出電圧に一致したときに、この第２の電圧に対応する前記電源電圧は、前記処理装置の動作保証電圧よりも高いことを特徴とするリセット信号発生回路。
【請求項４】
請求項１〜３のいずれか一項において、
前記処理装置の動作開始前であって、前記第１の電圧が前記リセット解除電圧に一致したときに、この第１の電圧に対応する前記電源電圧は、複数の電源回路の通常動作時に生成される電源電圧のばらつきの下限値よりも低いことを特徴とするリセット信号発生回路。
【請求項５】
請求項１〜４のいずれか一項において、
前記処理装置の動作開始後であって、前記第２の電圧が前記リセット検出電圧に一致したときに、この第２の電圧に対応する前記電源電圧は、複数の電源回路の通常動作時に生成される電源電圧のばらつきの下限値よりも低いことを特徴とするリセット信号発生回路。
【請求項６】
請求項１〜５のいずれか一項において、
前記電圧変換手段は、前記処理装置の動作開始前と動作開始後に分圧比を変更する分圧回路を用いて構成され、
前記分圧回路によって、前記電源電圧を分圧することにより前記第１および第２の電圧を生成することを特徴とするリセット信号発生回路。
【請求項７】
請求項６において、
前記第１の電圧に対応する前記分圧回路の分圧比に比べて、前記第２の電圧に対応する前記分圧回路の分圧比を小さな値に設定することを特徴とするリセット信号発生回路。
【請求項８】
請求項６または７において、
前記分圧比の変更は、前記分圧回路に含まれる抵抗と並列接続されたスイッチング素子をオン／オフすることにより行うことを特徴とするリセット信号発生回路。
【請求項９】
請求項１〜８のいずれか一項において、
前記リセット信号発生手段および前記電圧変換手段は、１つの集積回路を用いて構成されていることを特徴とするリセット信号発生回路。
【請求項１０】
請求項１〜８のいずれか一項において、
前記電圧変換手段は、前記リセット信号発生手段が含まれる集積回路とは別部品として構成されていることを特徴とするリセット信号発生回路。
【発明の詳細な説明】
【技術分野】
【０００１】
本発明は、電源回路から印加される電圧で動作する処理装置に対して、電圧低下時にリセット信号を出力するリセット信号発生回路に関する。
【背景技術】
【０００２】
従来から、電源投入時にはより高い電圧となるまでリセットをかけ続けることが可能となり、また、電源電圧の下降時には動作に支障がでない程度の低い電圧となるまで、リセットがかからないようにすることが可能な構成を有するリセット信号発生回路が知られている（例えば、特許文献１参照。）。このリセット信号発生回路では、電源電圧が第１の電圧（リセット解除電圧）を越えたときにリセット信号の出力を停止し、その後電源電圧が第１の電圧よりも低い第２の電圧（リセット検出電圧）以下となったときに再びリセット信号を出力する。このように、リセット信号を発生させる電圧にヒステリシスを持たせることにより、ＬＳＩ等の処理装置の安定した動作を確保することが可能となる。
【先行技術文献】
【特許文献】
【０００３】
【特許文献１】特開平１１−３１９５６号公報
【発明の概要】
【発明が解決しようとする課題】
【０００４】
ところで、上述した特許文献１に開示されたリセット信号発生回路における第１および第２の電圧は、処理装置の動作保証よりも高く、通常動作時の電源電圧よりも低い範囲で設定される。しかし、最近では電源電圧が低電圧化（例えば、３．３Ｖ）しており、しかも電源回路のばらつきを考慮すると、この範囲は狭くなる傾向にある。一方、第１および第２のしきい値電圧の差は、動作の安定性を考慮すると、ある値を確保する必要がある。このため、第１の電圧を、処理装置の動作保証電圧よりも高く、通常動作時の電源電圧よりも低い範囲に含まれるように設定したときに、第２の電圧が動作保証電圧よりも低くなってしまい、動作が安定しなくなるおそれがあるという問題があった。例えば、電源電圧が動作保証電圧よりも低くなり、その後再び高くなって動作保証電圧を超えた場合に、電源電圧が動作保証電圧よりも低くなった期間の処理内容がその後の処理に反映されるため、異常動作や誤動作の原因になる。
【０００５】
本発明は、このような点に鑑みて創作されたものであり、その目的は、電源電圧が低電圧化した場合であっても処理装置の動作を安定させることができるリセット信号発生回路を提供することにある。
【課題を解決するための手段】
【０００６】
上述した課題を解決するために、本発明のリセット信号発生回路は、入力電圧がリセット解除電圧以下のときに処理装置に向けてリセット信号を出力し、リセット解除電圧を超えたときにリセット信号の出力を解除するとともに、入力電圧がリセット解除電圧を超えた後に、リセット解除電圧よりも低いリセット検出電圧以下に入力電圧がなったときに再びリセット信号を処理装置に向けて出力するリセット信号発生手段と、処理装置の動作開始前は、電源電圧の変化に連動する第１の電圧を入力電圧として設定し、処理装置の動作開始後は、電源電圧の変化に連動するとともに第１の電圧よりも低い第２の電圧を入力電圧として設定する電圧変換手段とを備えている。
【０００７】
処理装置の動作開始後に、電源電圧の変化に連動する第２の電圧を用いてリセット検出電圧との比較を行うことにより、実質的にこのリセット検出電圧を高電位側にシフトさせることができるため、電源電圧が低電圧化した場合であっても、第２の電圧がリセット解除電圧よりも低くなる際の電源電圧を、処理装置の動作を安定させることができる程度に高くすることができる。
【０００８】
また、上述した処理装置の動作開始前であって、第１の電圧がリセット解除電圧に一致したときに、この第１の電圧に対応する電源電圧は、処理装置の動作保証電圧よりも高いことが望ましい。また、上述した処理装置の動作開始後であって、第２の電圧がリセット検出電圧に一致したときに、この第２の電圧に対応する電源電圧は、処理装置の動作保証電圧よりも高いことが望ましい。これにより、電源電圧が低電圧化した場合であっても、処理装置に対するリセット解除やリセット検出を、電源電圧が動作保証電圧よりも高い範囲で確実に行うことが可能となる。
【０００９】
また、上述した処理装置の動作開始前であって、第１の電圧がリセット解除電圧に一致したときに、この第１の電圧に対応する電源電圧は、複数の電源回路の通常動作時に生成される電源電圧のばらつきの下限値よりも低いことが望ましい。また、上述した処理装置の動作開始後であって、第２の電圧がリセット検出電圧に一致したときに、この第２の電圧に対応する電源電圧は、複数の電源回路の通常動作時に生成される電源電圧のばらつきの下限値よりも低いことが望ましい。これにより、電源電圧が低電圧化した場合に、電源回路の製造のばらつきがあっても、処理装置に対するリセット解除やリセット検出を、電源回路の通常動作時に生成される電源電圧よりも低い範囲で確実に行うことが可能となる。
【００１０】
また、上述した電圧変換手段は、処理装置の動作開始前と動作開始後に分圧比を変更する分圧回路を用いて構成され、分圧回路によって、電源電圧を分圧することにより第１および第２の電圧を生成することが望ましい。このように、分圧回路を用いて電圧変換手段を構成することより、電圧変換手段の構成の簡略化が可能となる。
【００１１】
また、上述した第１の電圧に対応する分圧回路の分圧比に比べて、第２の電圧に対応する分圧回路の分圧比を小さな値に設定することが望ましい。これにより、電源電圧の変化に連動する第１および第２の電圧であって、第１の電圧よりも低い第２の電圧を容易に生成することが可能となる。
【００１２】
また、上述した分圧比の変更は、分圧回路に含まれる抵抗と並列接続されたスイッチング素子をオン／オフすることにより行うことが望ましい。これにより、簡単な構成により分圧回路の分圧比を可変することが可能となる。
【００１３】
また、上述したリセット信号発生手段および電圧変換手段は、１つの集積回路を用いて構成されていることが望ましい。これにより、製造工程が簡略化できるとともに、部品組み立ての手間や製造コストの増大を防止することができる。
【００１４】
また、上述した電圧変換手段は、リセット信号発生手段が含まれる集積回路とは別部品として構成されていることが望ましい。電圧変換手段としての別部品を追加するだけでよいため、設計変更が容易となり、設計変更に要するコストの増大を防止することができる。
【図面の簡単な説明】
【００１５】
【図１】一実施形態の電源システムの構成を示す図である。
【図２】電源ＩＣの動作開始時および終了時のリセット信号の生成動作の説明図である。
【発明を実施するための形態】
【００１６】
以下、本発明を適用した一実施形態の電源システムについて、図面を参照しながら説明する。
【００１７】
図１は、一実施形態の電源システムの構成を示す図である。図１に示すように、本実施形態の電源システムは、マイクロコンピュータ１００、電源ＩＣ２００、電圧検出ＩＣ３００、電圧変換回路４００、車両インタフェース回路（車両Ｉ／Ｆ）５００を備えている。この電源システムは、例えば車両に搭載されている。
【００１８】
マイクロコンピュータ１００は、動作クロック信号に同期して動作し、所定のプログラムを実行することにより各種の動作を行う処理装置である。このマイクロコンピュータ１００は、リセット信号Ｒが車両インタフェース回路５００入力されるリセット端子Ｒと、Ｇ信号が入力される入力端子Ｇと、Ｕ信号を出力する出力端子Ｕとを有する。リセット信号Ｒは、マイクロコンピュータ１００の動作をリセットするためのものであり、ローレベルのリセット信号Ｒがリセット端子Ｒに入力されたときにマイクロコンピュータ１００の動作がリセットされる。また、リセット信号Ｒがハイレベルになるとこのリセット動作が解除されて、マイクロコンピュータ１００が起動される。Ｇ信号は、マイクロコンピュータ１００の動作の有効／無効を指示する信号であり、例えばハイレベルが「有効」に、ローレベルが「無効」に対応している。Ｕ信号は、マイクロコンピュータ１００の起動後に動作中であることを外部に通知するための信号であり、ハイレベルが「動作中」に、ローレベルが「停止」に対応している。
【００１９】
電源ＩＣ２００は、マイクロコンピュータ１００やその他の電子機器に供給する所定の電源電圧（動作電圧）を生成する電源回路である。例えば、車両に搭載されたバッテリ（図示せず）に接続されており、安定動作時には３．３Ｖの電源電圧が生成される。生成された電源電圧は、出力端子ＯＵＴから電源ラインを介してマイクロコンピュータ１００等に供給される。
【００２０】
電圧検出ＩＣ３００は、入力電圧が印加される端子Ｖinと、接地端子Ｅと、リセット信号Ｒを出力する端子ＯＵＴを有している。電圧検出ＩＣ３００は、端子Ｖinに印加される入力電圧がリセット解除電圧以下のときに端子ＯＵＴからマイクロコンピュータ１００のリセット端子Ｒに向けてリセット信号Ｒを出力（リセット信号Ｒをローレベルに設定）し、リセット解除電圧を超えたときにリセット信号Ｒの出力を解除（リセット信号Ｒをハイレベルに設定）するとともに、入力電圧がリセット解除電圧を超えた後に、このリセット解除電圧よりも低いリセット検出電圧以下に入力電圧がなったときに再びリセット信号をマイクロコンピュータ１００のリセット端子Ｒに向けて出力する。従来は、端子Ｖinに、電源ＩＣ２００によって生成された電源電圧が直接印加されていたが、本実施形態では、電圧変換回路４００によって電源電圧に基づいて生成された第１および第２の電圧が入力電圧として端子Ｖinに印加されている。この電圧検出ＩＣ３００がリセット信号発生手段に対応している。
【００２１】
電圧変換回路４００は、電源ＩＣ２００によって生成された電源電圧の変化に連動する第１および第２の電圧を生成する。例えば、電源電圧が第１の電圧として設定され、電源電圧を分圧した電圧が第２の電圧として設定される。
【００２２】
図１に示すように、電圧変換回路４００は、３つの抵抗Ｒ１、Ｒ２、Ｒ３と３つのトランジスタＱ１、Ｑ２、Ｑ３を含んで構成されている。
【００２３】
抵抗Ｒ１と抵抗Ｒ２によって分圧回路が構成されており、この分圧回路の一方端が電源ラインに、他方端が接地され、抵抗Ｒ１、Ｒ２の接続点が電圧検出ＩＣ３００の端子Ｖinに接続されている。さらに、この分圧回路の一方（電源ライン側）の抵抗Ｒ１には、トランジスタＱ３のコレクタ・エミッタ間（エミッタが電源ライン側）が並列接続されている。スイッチング素子としてのトランジスタＱ３がオンのときに、分圧回路を構成する一方の抵抗Ｒ１の両端間が短絡されるため、電源ラインに現れる電源電圧が、電圧検出ＩＣの端子Ｖinに入力電圧として直接印加される。また、トランジスタＱ３がオフのときに、電源ラインに現れる電源電圧が、抵抗Ｒ１、Ｒ２によって構成される分圧回路によって分圧された電圧が、電圧検出ＩＣ３００の端子Ｖinに入力電圧として印加される。
【００２４】
トランジスタＱ１は、ベースがマイクロコンピュータ１００の出力端子Ｕに接続され、エミッタが接地されており、コレクタに抵抗Ｒ３を介してＧ信号が入力されている。また、トランジスタＱ２は、コレクタがトランジスタＱ３のベースに接続され、エミッタが接地されており、ベースに抵抗Ｒ３を介してＧ信号が入力されている。この電圧変換回路４００が電圧変換手段に対応している。
【００２５】
車両インタフェース回路５００は、エンジン制御装置等の外部装置（図示せず）によって生成されるＧ信号をマイクロコンピュータ１００の入力端子Ｇに伝送するためのものであり、外部装置内に設けてもよいが、外部装置とは別に設けるようにしてもよい。例えば、Ｇ信号は、アクセサリースイッチＡＣＣがオンになったときに生成される。
【００２６】
本実施形態の電源システムはこのような構成を有しており、次に、その動作を説明する。図２は、電源ＩＣ２００の動作開始時および終了時のリセット信号の生成動作の説明図である。図２において、「Ｖ」は電源ＩＣ２００によって生成される電源電圧であって、縦軸はその電圧値を、横軸は経過時間を示している。また、「Ｇ」は車両インタフェース回路５００から電圧変換回路４００やマイクロコンピュータ１００の入力端子Ｇに入力されるＧ信号を示している。「／Ｒｅｓｅｔ」は、電圧検出ＩＣ３００の端子ＯＵＴから出力されてマイクロコンピュータ１００のリセット端子Ｒに入力されるリセット信号Ｒを示している。「Ｕ」は、マイクロコンピュータ１００の出力端子Ｕから出力されて電圧変換回路４００に入力されるＵ信号を示している。
【００２７】
また、「状態」は、Ｇ信号とＵ信号の組み合わせで決まる電圧変換回路４００の内部状態を示している。この状態は１〜４あり、それぞれの内容は以下のようになっている。
・状態１：Ｇ信号がハイレベル、Ｕ信号がローレベルであり、トランジスタＱ１がオフ、トランジスタＱ２がオン、トランジスタＱ３がオンになる。
・状態２：Ｇ信号がローレベル、Ｕ信号がハイレベルであり、トランジスタＱ１がオフ、トランジスタＱ２がオフ、トランジスタＱ３がオフになる。
・状態３：Ｇ信号がハイレベル、Ｕ信号がハイレベルであり、トランジスタＱ１がオン、トランジスタＱ２がオン、トランジスタＱ３がオフになる。
・状態４：Ｇ信号がローレベル、Ｕ信号がローレベルであり、トランジスタＱ１がオフ、トランジスタＱ２がオフ、トランジスタＱ３がオンになる。
【００２８】
（電源投入後の動作）
例えばアクセサリースイッチＡＣＣがオンされて、電源ＩＣ２００が動作を開始すると、電源電圧Ｖが徐々に上昇する。このとき、Ｇ信号のみがハイレベルであり、マイクロコンピュータ１００が動作開始前であるためＵ信号はローレベルとなる（状態１）。すなわち、電圧変換回路４００のトランジスタＱ３がオンになって、電源ラインに現れる電源電圧Ｖ（第１の電圧）が、電源検出ＩＣ３００の端子Ｖinに直接印加される。このような状態において、電源電圧Ｖが徐々に上昇して動作保証電圧Ｖmin を越え、さらにリセット解除電圧（Ｖ10）を越えて所定の遅延時間が経過すると、電圧検出ＩＣ３００の端子ＯＵＴから出力されるリセット信号Ｒがそれまでのローレベル（リセット状態）からハイレベル（リセット解除状態）に変化する。このようにして、マイクロコンピュータ１００が動作を開始すると、出力端子ＵからハイレベルのＵ信号が出力され、状態２あるいは状態３に移行する。
【００２９】
なお、電源電圧Ｖが徐々に上昇して動作保証電圧Ｖmin を越えた後に、電源電圧Ｖが一時的に動作保証電圧Ｖmin を下回ることがあるが、リセット検出電圧（Ｖ12）がリセット解除電圧（Ｖ10）よりも低い値に設定されているため、リセット解除の状態が維持される。
【００３０】
その後、電源ＩＣ２００の動作が安定して電源電圧が一定値を維持するが、この電源電圧の値は、電源ＩＣ２００自体の構成部品のばらつきや電源ＩＣ２００に接続された周辺部品の影響などにより、ある程度ばらついている。本実施形態では、リセット解除電圧Ｖ10は、このような電源電圧のばらつきの最小値（例えば、製造時の検査等により測定した複数の電源ＩＣ２００の電源電圧の下限値が用いられる）よりも低く、動作保障電圧Ｖmin よりも高い値が用いられる。
【００３１】
（電源切断時の動作）
マイクロコンピュータ１００が動作中で、電源ＩＣ２００の動作が安定している場合には、状態２あるいは状態３にあり、電圧変換回路４００では、トランジスタＱ３がオフされるため、抵抗Ｒ１、Ｒ２によって構成された分圧回路（分圧比ｎ（＜１））によって電源電圧Ｖを分圧した電圧（第２の電圧）が電圧検出ＩＣ３００の端子Ｖinに印加される。
【００３２】
上述したように、電圧検出ＩＣ３００では、入力電圧がリセット解除電圧であるＶ10を越えるとリセット解除（リセット信号の出力停止）し、リセット検出電圧であるＶ12よりも低くなるとリセット検出（リセット信号の出力開始）が行われる。したがって、電源電圧をＶとすると、分圧回路から出力される分圧電圧はｎＶとなり、これがリセット検出電圧であるＶ12と等しくなる場合を考えると、ｎＶ＝Ｖ12の関係が成立する。これを変形して、Ｖ＝Ｖ12／ｎとなる。ｎは１よりも小さい値を有するため、Ｖ12／ｎはＶ12よりも高い値となる。リセット解除電圧であるＶ10についても同様であり、Ｖ10／ｎはＶ10よりも高い値となる。図２では、Ｖ12／ｎがＶ22として、Ｖ10／ｎがＶ20として示されている。
【００３３】
その後、例えば、アクセサリースイッチＡＣＣがオフされて、電源ＩＣ２００が動作を停止すると、電源電圧Ｖが徐々に下降を開始する。さらに、電源電圧Ｖが下降してリセット検出電圧であるＶ22よりも低くなると、電源検出ＩＣ３００のリセット端子Ｒからリセット信号Ｒ（ローレベル）が出力されて状態４に移行する。
【００３４】
このように、本実施形態の電源システムでは、マイクロコンピュータ１００の動作開始後に、電源電圧の変化に連動する第２の電圧（電源電圧を分圧した電圧）を用いてリセット検出電圧Ｖ12との比較を行うことにより、実質的にこのリセット検出電圧を高電位側にシフト（Ｖ12→Ｖ22）させることができるため、電源電圧が低電圧化した場合であっても、第２の電圧がリセット解除電圧よりも低くなる際の電源電圧を、マイクロコンピュータ１００の動作を安定させることができる程度に高くすることができる。
【００３５】
また、マイクロコンピュータ１００の動作開始前に対応するリセット解除電圧Ｖ10に一致する電源電圧や、マイクロコンピュータ１００の動作開始後に対応するリセット検出電圧Ｖ22に一致する電源電圧を、マイクロコンピュータ１００の動作保証電圧Ｖmin よりも高い値に設定している。これにより、電源電圧が低電圧化した場合であっても、マイクロコンピュータ１００に対するリセット解除やリセット検出を、電源電圧が動作保証電圧よりも高い範囲で確実に行うことが可能となる。
【００３６】
また、マイクロコンピュータ１００の動作開始前に対応するリセット解除電圧Ｖ10に一致する電源電圧や、マイクロコンピュータ１００の動作開始後に対応するリセット検出電圧Ｖ22に一致する電源電圧を、複数の電源ＩＣ２００の通常動作時に生成される電源電圧のばらつきの下限値よりも低い値に設定している。これにより、電源電圧が低電圧化した場合に、電源ＩＣ２００の製造のばらつきがあっても、マイクロコンピュータ１００に対するリセット解除やリセット検出を、電源ＩＣ２００の通常動作時に生成される電源電圧よりも低い範囲で確実に行うことが可能となる。
【００３７】
また、分圧回路を用いて電圧変換回路４００を構成することより、電圧変換回路４００の構成の簡略化が可能となる。また、マイクロコンピュータ１００の動作開始前に電圧変換回路４００から電圧検出ＩＣ３００の端子Ｖinに印加される第１の電圧に対応する分圧回路の分圧比（トランジスタＱ３がオンされて電源電圧そのものが第１の電圧になるため、分圧比ｎ＝１）に比べて、マイクロコンピュータ１００の動作開始前に電圧変換回路４００から電圧検出ＩＣ３００の端子Ｖinに印加される第２の電圧に対応する分圧回路の分圧比ｎ（＜１）を小さな値に設定している。これにより、電源電圧の変化に連動する第１および第２の電圧であって、第１の電圧よりも低い第２の電圧を容易に生成することが可能となる。また、このような第１および第２の電圧における分圧比の変更は、分圧回路に含まれる抵抗Ｒ１と並列接続されたスイッチング素子としてのトランジスタＱ３をオン／オフすることにより行っており、簡単な構成により分圧回路の分圧比を可変することが可能となる。
【００３８】
また、電圧変換回路４００は、電圧検出ＩＣ３００とは別部品として構成されており、従来から用いられている電圧検出ＩＣ３００を用いる場合に、電圧変換回路４００としての別部品を追加するだけでよいため、設計変更が容易となり、設計変更に要するコストの増大を防止することができる。
【００３９】
なお、本発明は上記実施形態に限定されるものではなく、本発明の要旨の範囲内において種々の変形実施が可能である。例えば、上述した実施形態では、マイクロコンピュータ１００のリセット端子Ｒに入力するリセット信号を生成する構成について説明したが、リセット信号を入力する処理装置はマイクロコンピュータ１００以外であってもよい。
【００４０】
また、上述した実施形態では、電圧検出ＩＣ３００とは別に電圧変換回路４００を設けたが、電圧検出ＩＣ３００に電圧変換回路４００の機能を内蔵したり、電源ＩＣ２００に電圧検出ＩＣ３００の機能と電圧変換回路４００の機能を内蔵するようにしてもよい。これにより、製造工程が簡略化できるとともに、部品組み立ての手間や製造コストの増大を防止することができる。
【００４１】
また、上述した実施形態の電圧変換回路４００では、抵抗Ｒ１の両端間をトランジスタＱ３をオンして短絡することにより、電源電圧を第１の電圧として電圧検出ＩＣ３００の端子Ｖinに印加するようにしたが、抵抗Ｒ１と並列に、トランジスタＱ３と抵抗からなる直列回路を接続し、トランジスタＱ３をオン／オフしたときに分圧比が異なるように設定して第１および第２の電圧を生成するようにしたもよい。
【００４２】
また、上述した実施形態では、電圧変換回路４００を抵抗Ｒ１、Ｒ２とトランジスタＱ３とからなる分圧回路を用いて構成したが、必ずしも抵抗やトランジスタを用いる必要はなく、電源電圧と第１および第２の電圧のそれぞれとの比（分圧回路の場合の分圧比）を異ならせるものであればその他の構成を用いるようにしてもよい。
【００４３】
また、上述した実施形態では、車両に搭載された電源システムについて説明したが、車両以外で用いられる電源システムに本発明を適用することができる。
【産業上の利用可能性】
【００４４】
上述したように、本発明によれば、処理装置の動作開始後に、電源電圧の変化に連動する第２の電圧を用いてリセット検出電圧との比較を行うことにより、実質的にこのリセット検出電圧を高電位側にシフトさせることができるため、電源電圧が低電圧化した場合であっても、第２の電圧がリセット解除電圧よりも低くなる際の電源電圧を、処理装置の動作を安定させることができる程度に高くすることができる。
【符号の説明】
【００４５】
１００  マイクロコンピュータ
２００  電源ＩＣ
３００  電圧検出ＩＣ
４００  電圧変換回路
５００  車両インタフェース回路（車両Ｉ／Ｆ）
【図１】
2017143448.tif 000003
【図２】
2017143448.tif 000004